【手続補正書】
【提出日】平成18年8月31日(2006.8.31)
【手続補正１】
【補正対象書類名】明細書
【補正対象項目名】発明の名称
【補正方法】変更
【補正の内容】
【発明の名称】カメラ
【手続補正２】
【補正対象書類名】明細書
【補正対象項目名】特許請求の範囲
【補正方法】変更
【補正の内容】
【特許請求の範囲】
【請求項１】ストロボ発光が行われる時間間隔を測定する測定手段と、
前記ストロボの発光強度を示すストロボガイドナンバーを検出するガイドナンバー検出手段と、
前記時間間隔を積算していく積算手段と、
前記積算手段によって積算された値が第１の所定値を越えた場合にレリーズ動作を制限する動作制御手段と、
前記ガイドナンバー検出手段によって検出されたガイドナンバーに基づき、前記第１の所定値、および、前記動作制御手段によるレリーズ動作を制限する期間、のうち少なくとも何れか一つを設定するパラメータ設定手段とを有することを特徴とするカメラ。
【請求項２】前記積算手段は、前記時間間隔が第２の所定値より小さい場合に前記時間間隔に関する値を積算することを特徴とする請求項１に記載のカメラ。
【請求項３】前記動作制御手段は、前記積算された値が前記第１の所定値よりも大きくなった場合にレリーズ動作を禁止することを特徴とする請求項１に記載のカメラ。
【請求項４】前記ストロボガイドナンバーが大きくなれば、前記レリーズ動作を禁止する期間は長くなることを特徴とする請求項１に記載のカメラ。
【請求項５】前記ストロボガイドナンバーが大きくなれば、前記第２の所定値は大きくなることを特徴とする請求項１または２に記載のカメラ。
【請求項６】前記ストロボガイドナンバーが大きくなれば、前記第１の所定値は小さくなることを特徴とする請求項１または３に記載のカメラ。
【手続補正３】
【補正対象書類名】明細書
【補正対象項目名】０００１
【補正方法】変更
【補正の内容】
【０００１】
【発明の属する技術分野】本発明は、ストロボ発光の制御を行う手段を有するカメラの改良に関するものである。
【手続補正４】
【補正対象書類名】明細書
【補正対象項目名】０００９
【補正方法】変更
【補正の内容】
【０００９】
【発明が解決しようとする課題】しかしながら、上記特開昭６０−２１８８００号においては、ストロボ装置の発熱源の温度を検出するものであるので、温度計をその発熱源の近くに配置しなければならず、小型化の妨げとなってしまっていた。また、正確に温度を測定しようとすればする程、発熱源の近くに配置しなければならず、高電圧部のリーク等の問題も発生していた。さらに、発熱源が複数ある場合には、それぞれの位置に設置しなければならず、スペース上も大変であると共に、その処理回路の準備、それにかかるコストもかなり割高なものとなってしまっていた。更に、実際の発熱量と実際の部品の溶解とが正確に対応できない場合もあった。更に又、所定温度以上になるとストロボ充電禁止，発光禁止にするが、その際に撮影動作が行われた場合にはどうなるかが考慮されていなかった。
【手続補正５】
【補正対象書類名】明細書
【補正対象項目名】００１２
【補正方法】変更
【補正の内容】
【００１２】
（発明の目的）本発明の目的は、大型化、高コスト化を招くことなく、電流消費を極力押さえながら、ストロボ発光手段の発熱に起因する、該ストロボ発光手段及びその周辺部材の破損，溶解、さらには外装部材の変形，変色を防止し、かつ、撮影者に必要以上の不快な操作を強いることの無いカメラを提供しようとするものである。
【手続補正６】
【補正対象書類名】明細書
【補正対象項目名】００１３
【補正方法】変更
【補正の内容】
【００１３】
【課題を解決するための手段】上記目的を達成するために、本発明は、ストロボ発光が行われる時間間隔を測定する測定手段と、前記ストロボの発光強度を示すストロボガイドナンバーを検出するガイドナンバー検出手段と、前記時間間隔を積算していく積算手段と、前記積算手段によって積算された値が第１の所定値を越えた場合にレリーズ動作を制限する動作制御手段と、前記ガイドナンバー検出手段によって検出されたガイドナンバーに基づき、前記第１の所定値、および、前記動作制御手段によるレリーズ動作を制限する期間、のうち少なくとも何れか一つを設定するパラメータ設定手段とを有するカメラとするものである。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００７７
【補正方法】変更
【補正の内容】
【００７７】
上記ステップ＃７０９にてレリーズロックはかけずに警告表示のみ行うモード３に設定された場合には、ステップ＃７１５へ移行し、制御回路６はタイマを作動させ、カウントを開始させる（＃７１５）と共に、表示装置３に信号を送り、発熱を表わすための警告表示を開始させる（＃７１６）。そして、レリーズスイッチが全押しになったか（＃７１７）あるいはタイマが一定時間Ｔ［４］に達したか（＃７１８）を判定する。ステップ＃７１７にてレリーズスイッチが全押しになった場合には、すなわち撮影したい場合には所定時間が経過していなくてもステップ＃７１９へ移行する。そして、レリーズスイッチが押されたまま所定時間が経過した場合（＃７１８のＹＥＳ）、あるいは、ステップ＃７１７より移行してきた場合には、再度表示装置３に信号を送り、警告表示を停止させる（＃７１９）。
【手続補正１５】
【補正対象書類名】明細書
【補正対象項目名】００８７
【補正方法】変更
【補正の内容】
【００８７】
上記ステップ＃８１５，＃８１８，＃８２１にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃８２７）。
【手続補正１６】
【補正対象書類名】明細書
【補正対象項目名】００９５
【補正方法】変更
【補正の内容】
【００９５】
その後、現在の積算値Ｃと予め定められたしきい値Ｃ［３］との比較を行う（＃９０９）。ここで現在の積算値Ｃが予め定められたしきい値Ｃ［３］よりも大きいと判定した場合には、制御回路６はタイマを作動させカウントを開始させる（＃９１０）と共に、表示装置３に信号を送り、発熱の為にすぐにレリーズをした場合にＡＥ撮影になる事を表わすための（例えば、ストロボ発光禁止表示等の）警告表示を開始させる（＃９１１）。そして、レリーズスイッチが全押しされたか（＃９１２）、あるいはタイマが一定時間Ｔ［４］に達したか（＃９１３）を判定する。ステップ＃９１２にてレリーズスイッチが全押しされた場合には、すなわち放熱の待ち時間内に撮影したい場合には、警告表示停止（フローでは不図示）させてステップ＃９１９へ移行する。レリーズスイッチが半押しされたまま所定時間が経過した場合（＃９１３のＹＥＳ）には、再度表示装置３に信号を送り、警告表示を停止させ（＃９１４）、レリーズスイッチがオフされたかを判定（＃９２０）し、オフであればこのフローを終了するが、オンであればレリーズスイッチが全押しされたかを判定（＃９２１）し、全押しされていなければステップ＃９２０へ戻る。また、全押しされていればステップ＃９１５へ移行する。そして、シャッタ開制御等のストロボ発光前までの撮影動作１を実行し（＃９１５）、次にストロボ発光された場合には（＃９１６）、その時の時刻をＰ１に記憶し（＃９１７）、その後シャッタ制御，デート写し込み，一駒巻き上げ等の撮影動作２を実行する（＃９１８）。
【手続補正１７】
【補正対象書類名】明細書
【補正対象項目名】００９６
【補正方法】変更
【補正の内容】
【００９６】
上記ステップ＃９１２にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃９１９）。
【手続補正１８】
【補正対象書類名】明細書
【補正対象項目名】０１０７
【補正方法】変更
【補正の内容】
【０１０７】
上記ステップ＃１０１３，＃１０１６，＃１０１９にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃１０２５）。
【手続補正１９】
【補正対象書類名】明細書
【補正対象項目名】０１１２
【補正方法】変更
【補正の内容】
【０１１２】
その後、現在の積算値Ｃが予め定められたしきい値Ｃ［３］との比較を行う（＃１１０７）。ここで現在の積算値Ｃが予め定められたしきい値Ｃ［３］よりも大きいと判定した場合には、次に設定装置２より設定情報を読み込み（＃１１０８）その設定情報を判定する（＃１１０９）。ここで特定枚数しか撮影されない場合などに警告表示およびレリーズロックを行わないモード１に設定された場合には、ステップ＃１１２５へ移行する。警告表示，レリーズロックとも行うモード２に設定された場合には、ステップ＃１１１０へ移行し、制御回路６はタイマを作動させカウントを開始させる（＃１１１０）とともに、表示装置３に信号を送り、発熱の為にレリーズロックをかけている事を表わすための警告表示を開始させる（＃１１１１）。そして、レリーズスイッチがオフになったか（＃１１１２）あるいはタイマが一定時間Ｔ［４］に達したか（＃１１１３）を判定する。ステップ＃１１１２にてレリーズスイッチがオフになった場合には、すなわち放熱の待ち時間内にレリーズスイッチが離された場合には、その後の動作を行わずに警告表示停止させて終了する。レリーズスイッチが押されたまま所定時間が経過した場合には、再度表示装置３に信号を送り、警告表示を停止させる（＃１１１４）。
【手続補正２０】
【補正対象書類名】明細書
【補正対象項目名】０１１３
【補正方法】変更
【補正の内容】
【０１１３】
上記ステップ＃１１０９にてレリーズロックはかけずに警告表示のみ行うモード３に設定された場合には、ステップ＃１１１５へ移行し、制御回路６はタイマを作動させ、カウントを開始させる（＃１１１５）と共に、表示装置３に信号を送り、発熱を表わすための警告表示を開始させる（＃１１１６）。そして、レリーズスイッチが全押しになったか（＃１１１７）、あるいはタイマが一定時間Ｔ［４］に達したか（＃１１１８）を判定する。ステップ＃１１１７にてレリーズスイッチが全押しになった場合には、すなわち撮影したい場合には所定時間が経過していなくてもステップ＃１１２４へ移行する。そして、レリーズスイッチが押されたまま所定時間が経過した場合（＃１１１８のＹＥＳ）には、再度表示装置３に信号を送り、警告表示を停止させる（＃１１１９）。
【手続補正２１】
【補正対象書類名】明細書
【補正対象項目名】０１１５
【補正方法】変更
【補正の内容】
【０１１５】
上記ステップ＃１１１７にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃１１２４）。
【手続補正２２】
【補正対象書類名】明細書
【補正対象項目名】０１１９
【補正方法】変更
【補正の内容】
【０１１９】
この実施の第１２の形態では、図２から図１２までのフローチャートのうち、撮影準備動作の処理ブロック中に下記の処理を追加している。すなわち、制御回路６は撮影装置８に指令を送り、撮影の為の電圧チェック，露出，ストロボ充電，ピント合わせ等の撮影準備動作を行う（＃１２０１）。その後、ストロボＧNo設定・検出回路９によって今回発光予定のＧNoを求める（＃１２０２）。制御回路６はそのＧNoをもとにストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量 n［６］等のパラメータを設定する（＃１２０３）。
【手続補正２３】
【補正対象書類名】明細書
【補正対象項目名】０１４１
【補正方法】変更
【補正の内容】
【０１４１】
また、発光間隔が所定時間Ｔ［１］以上開けばこれらのレリーズロックがかからなくなるので（＃１５１６のＹＥＳ，＃１５１９のＹＥＳ，＃１５２２のＹＥＳ）、複数枚数以上の連写の場合以外にはこのような状態は起りにくく、必要以上に撮影者に不快な思いをさせなくても済む事になる。
【手続補正２４】
【補正対象書類名】明細書
【補正対象項目名】０１４９
【補正方法】変更
【補正の内容】
【０１４９】
上記ステップ＃１６１２にてカメラ本体側からレリーズスイッチが全押しされた指令が来た場合には、カメラ側へレリーズロックを行う指示信号を伝達させる（＃１６１８）。
【手続補正２５】
【補正対象書類名】明細書
【補正対象項目名】０１５５
【補正方法】変更
【補正の内容】
【０１５５】
ステップ＃１７０９にてレリーズロックはかけずに警告表示のみ行うモード３に設定された場合には、ステップ＃１７１５へ移行し、制御回路６はタイマを作動させカウントを開始させる（＃１７１５）と共に、表示装置３に信号を送り、発熱を表わすための警告表示を開始させる（＃１７１６）。そして、カメラ本体側からレリーズスイッチが全押しされた指令が来るか（＃１７１７）、あるいはタイマが一定時間Ｔ［４］に達したか（＃１７１８）を判定する。ステップ＃１７１７にてカメラ本体側からレリーズスイッチが全押しされた指令が来た場合には、すなわち放熱の待ち時間内に撮影したい場合には、ステップ＃１７２３へ移行する。そして、レリーズスイッチが押されたまま所定時間経過した場合には、再度表示装置３に信号を送り、警告表示を停止させる（＃１７１９）。
【手続補正２６】
【補正対象書類名】明細書
【補正対象項目名】０１５７
【補正方法】変更
【補正の内容】
【０１５７】
上記ステップ＃１７１７にてカメラ本体側からレリーズスイッチが全押しされた指令が来た場合には、カメラ側へレリーズロックを行う指示信号を伝達させる（＃１７２３）。
【手続補正２７】
【補正対象書類名】明細書
【補正対象項目名】０１６４
【補正方法】変更
【補正の内容】
【０１６４】
一方、ステップ＃１８１２にて現在の積算値Ｃが予め定められたしきい値Ｃ［３］2 よりも大きいと判定された場合には、同様に現在の積算値Ｃと予め定められたしきい値Ｃ［３］3 との比較を行い、同様の処理を行う。以下この動作を繰り返し、現在の積算値Ｃが予め定められたしきい値Ｃ［３］n-1 よりも大きく予め定められたしきい値Ｃ［３］n より小さいと判定された場合には（＃１８１３）、このしきい値Ｃ［３］n-1 に対応した一定時間Ｔ［４］n-1 にてタイマをスタートさせる（＃１８１７）。そして、カメラ本体側からレリーズスイッチが全押しされた指令が来るか（＃１８１８）、あるいはタイマが一定時間Ｔ［４］n-1 に達したか（＃１８１９）を判定する。ステップ＃１８１８にてカメラ本体側からレリーズスイッチが全押しされた指令が来た場合には、すなわち放熱の待ち時間内に撮影したい場合には、ステップ＃１８２６へ移行する。
【手続補正２８】
【補正対象書類名】明細書
【補正対象項目名】０１６５
【補正方法】変更
【補正の内容】
【０１６５】
ステップ＃１８１３にて現在の積算値Ｃが予め定められたしきい値Ｃ［３］n よりも大きいと判定した場合には、このしきい値Ｃ［３］n に対応した一定時間Ｔ［４］n にてタイマをスタートさせる（＃１８１４）。そして、カメラ本体側からレリーズスイッチが全押しされた指令が来るか（＃１８１５）、あるいはタイマが一定時間Ｔ［４］n に達したか（＃１８１６）を判定する。ステップ＃１８１５にてカメラ本体側からレリーズスイッチが全押しされた指令が来た場合には、すなわち放熱の待ち時間内に撮影したい場合には、ステップ＃１８２６へ移行する。
【手続補正２９】
【補正対象書類名】明細書
【補正対象項目名】０１７２
【補正方法】変更
【補正の内容】
【０１７２】
この実施の第１９の形態では、図１６から図１９までのフローチャートのうちカメラ側のデータ取得の処理ブロック中に下記の処理を追加している。すなわち、制御回路６は撮影回路８に指令を送り、撮影の為の電圧チェック，露出，ストロボ充電，ピント合わせ等の撮影準備動作を行う（＃１９０１）。その後、ストロボＧNo設定・検出回路９によって今回発光予定のＧNoを求める（＃１９０２）。制御回路６はそのＧNoを基に、ストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量ｎ［６］等のパラメータを設定する（＃１９０３）。
【手続補正３０】
【補正対象書類名】明細書
【補正対象項目名】０１８７
【補正方法】変更
【補正の内容】
【０１８７】
【発明の効果】以上説明したように、本発明によれば、大型化、高コスト化を招くことなく、電流消費を極力押さえながら、ストロボ発光手段の発熱に起因する、該ストロボ発光手段及びその周辺部材の破損，溶解、さらには外装部材の変形，変色を防止し、かつ、撮影者に必要以上の不快な操作を強いることの無いカメラを提供できるものである。
【手続補正３１】
【補正対象書類名】図面
【補正対象項目名】図２
【補正方法】変更
【補正の内容】
【図２】
2001066675.tif 000001
【手続補正３２】
【補正対象書類名】図面
【補正対象項目名】図４
【補正方法】変更
【補正の内容】
【図４】
2001066675.tif 000002
【手続補正３３】
【補正対象書類名】図面
【補正対象項目名】図８
【補正方法】変更
【補正の内容】
【図８】
2001066675.tif 000003
【手続補正３４】
【補正対象書類名】図面
【補正対象項目名】図９
【補正方法】変更
【補正の内容】
【図９】
2001066675.tif 000004
【手続補正３５】
【補正対象書類名】図面
【補正対象項目名】図１２
【補正方法】変更
【補正の内容】
【図１２】
2001066675.tif 000005
【手続補正３６】
【補正対象書類名】図面
【補正対象項目名】図１６
【補正方法】変更
【補正の内容】
【図１６】
2001066675.tif 000006
【手続補正３７】
【補正対象書類名】図面
【補正対象項目名】図１８
【補正方法】変更
【補正の内容】
【図１８】
2001066675.tif 000007
【手続補正３８】
【補正対象書類名】図面
【補正対象項目名】図１９
【補正方法】変更
【補正の内容】
【図１９】
2001066675.tif 000008